(57)【要約】【課題】小型化および低コスト化が可能な現金管理装置の提供。【解決手段】現金管理装置本体と、現金管理装置本体に引き出し可能に設けられた少なくとも一段のドロア１２（ｂ）と、ドロア１２（ｂ）に引き出し方向に並べて設けられて貨幣を収納する複数の区画部４９と、操作者のランクを認識する認識手段と、認識手段が認識した操作者のランクに応じてドロア１２（ｂ）の引き出し可能な範囲を、複数の区画部４９をすべて開放可能な全範囲と、複数の区画部４９のうちの引き出し方向手前側の一部のみを開放可能な一部範囲とに切り替える切替手段２２，２０１と、を備える。【選択図】図１１
2016136330.tif 000002
【特許請求の範囲】
【請求項１】
本体と、
該本体に引き出し可能に設けられた少なくとも一段のドロアと、
該ドロアに引き出し方向に並べて設けられて貨幣を収納する複数の区画部と、
操作者のランクを認識する認識手段と、
該認識手段が認識した操作者のランクに応じて前記ドロアの引き出し可能な範囲を、前記複数の区画部をすべて開放可能な全範囲と、前記複数の区画部のうちの引き出し方向手前側の一部のみを開放可能な一部範囲とに切り替える切替手段と、
を備えることを特徴とする現金管理装置。
【請求項２】
前記複数の区画部は、奥側の区画部よりも手前側の区画部に額面の小さい貨幣を収納するように設定されており、
前記切替手段は、前記ドロアの引き出し可能な範囲を、前記全範囲とする前記ランクが、前記一部範囲とする前記ランクよりも高く設定されていることを特徴とする請求項１記載の現金管理装置。
【発明の詳細な説明】
【技術分野】
【０００１】
本発明は、現金の管理に用いられる現金管理装置に関する。
【背景技術】
【０００２】
貨幣処理機において、メンテナンス時に開放可能となる範囲を操作者の権限に応じて制限する技術がある（例えば特許文献１参照）。
【先行技術文献】
【特許文献】
【０００３】
【特許文献１】特開２０１１−１９７７６０号公報
【発明の概要】
【発明が解決しようとする課題】
【０００４】
ところで、銀行等の金融機関において、窓口係員の顧客との現金のやり取り作業の円滑化を図るために本体から引き出し可能に設けられたドロアに現金を収納する現金管理装置を窓口係員の近くに配置することが行われている。このような現金管理装置は、窓口係員の近くに配置されることから、小型化が求められており、また、低コスト化が求められている。
【０００５】
本発明は、小型化および低コスト化が可能な現金管理装置の提供を目的とする。
【課題を解決するための手段】
【０００６】
上記目的を達成するために、請求項１に係る発明は、現金管理装置本体と、該現金管理装置本体に引き出し可能に設けられた少なくとも一段のドロアと、該ドロアに引き出し方向に並べて設けられて貨幣を収納する複数の区画部と、操作者のランクを認識する認識手段と、該認識手段が認識した操作者のランクに応じて前記ドロアの引き出し可能な範囲を、前記複数の区画部をすべて開放可能な全範囲と、前記複数の区画部のうちの引き出し方向手前側の一部のみを開放可能な一部範囲とに切り替える切替手段と、を備えることを特徴とする。
【０００７】
請求項２に係る発明は、請求項１に係る発明において、前記複数の区画部は、奥側の区画部よりも手前側の区画部に額面の小さい貨幣を収納するように設定されており、前記切替手段は、前記ドロアの引き出し可能な範囲を、前記全範囲とする前記ランクが、前記一部範囲とする前記ランクよりも高く設定されていることを特徴とする。
【発明の効果】
【０００８】
請求項１に係る発明によれば、切替手段は、認識手段が認識した操作者のランクに応じて、ドロアの引き出し可能な範囲を、複数の区画部をすべて開放可能な全範囲と、複数の区画部のうちの引き出し方向手前側の一部のみを開放可能な一部範囲とに切り替える。よって、一つのドロア内の奥側に、操作者のランクによってアクセスが制限される区画部を設けることができる。このため、操作者のランクによってアクセスが制限されるドロアとアクセスが制限されないドロアとを別々に設ける場合と比べてドロアの数を減らすことができる。したがって、小型化および低コスト化が可能となる。
【０００９】
請求項２に係る発明によれば、操作者のランクが、全範囲を開放可能なランクよりも低いランクに対しては、手前側の区画部よりも高額な貨幣を収納する奥側の区画部を開放しないことになり、高額な貨幣へのアクセスを制限することができる。
【図面の簡単な説明】
【００１０】
【図１】本発明の一実施形態に係る現金管理装置を示す斜視図である。
【図２】本発明の一実施形態に係る現金管理装置を示す制御系のブロック図である。
【図３】本発明の一実施形態に係る現金管理装置の小束収納ドロアを示す斜視図である。
【図４】本発明の一実施形態に係る現金管理装置の小束収納ドロア近傍を示す部分斜視図である。
【図５】本発明の一実施形態に係る現金管理装置の小束収納ドロアを示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図６】本発明の一実施形態に係る現金管理装置の棒金収納ドロアを示す平面図であって、（Ａ）は現金管理装置本体に配置される棒金セット検知センサとの対応関係を示すもの、（Ｂ）は現金管理装置本体に配置される棒金検出ラインセンサとの対応関係を示すものである。
【図７】本発明の一実施形態に係る現金管理装置の棒金収納ドロア近傍を示す部分斜視図である。
【図８】本発明の一実施形態に係る現金管理装置のドロア近傍を示す側面図である。
【図９】本発明の一実施形態に係る現金管理装置のドロアの前部近傍を示す部分斜視図である。
【図１０】本発明の一実施形態に係る現金管理装置の小束収納ドロアを示す平面図である。
【図１１】本発明の一実施形態に係る現金管理装置の小束収納ドロアを示す平面図である。
【図１２】本発明の一実施形態に係る現金管理装置の収納庫の後部近傍を示す側面図である。
【図１３】本発明の一実施形態に係る現金管理装置の変形例の小束収納ドロアを示す平面図である。
【図１４】本発明の一実施形態に係る現金管理装置の変形例の小束収納ドロアを示す平面図である。
【発明を実施するための形態】
【００１１】
本発明の一実施形態に係る現金管理装置を図面を参照して以下に説明する。
【００１２】
本実施形態に係る現金管理装置１０は、例えば店舗の係員側スペースに設置されて係員により取り扱われるものであり、より窓口カウンタに近い位置で主に小束紙幣および棒金を入出庫可能に収納するものである。
【００１３】
現金管理装置１０は、箱型の現金管理装置本体１１と、この現金管理装置本体１１に上下方向に複数段具体的には８段設けられたドロア１２とを有している。これらドロア１２は、その左右側壁に設けられたスライドレール１３を介して現金管理装置本体１１に対して水平方向に沿ってスライド開閉可能となっている。これらドロア１２は、前方に引き出されて開状態となり、後方に押し込まれて閉状態となり、このように前後方向にのみ所定範囲で移動可能となるように現金管理装置本体１１に連結されている。これらドロア１２は、開状態で現金が出し入れ可能となる一方、閉状態では現金の出し入れが不可となる。
【００１４】
複数段のドロア１２のうち、最も上側のものは、バラ貨幣収納ドロア１２（ａ）となっており、結束されていないバラ紙幣、包装されていないバラ硬貨、汚損紙幣や汚損硬貨、金券等を収納する。また、残りのドロア１２は、上側４段が小束紙幣を収納する小束収納ドロア１２（ｂ）となっており、下側３段が棒金を収納する棒金収納ドロア１２（ｃ）となっている。勿論、ドロア１２の全体の数や、そのうちの小束収納ドロア１２（ｂ）および棒金収納ドロア１２（ｃ）の個々の数等は任意に設定可能であり、例えば、バラ貨幣収納ドロア１２（ａ）以外の全てを、小束収納ドロア１２（ｂ）としたり、棒金収納ドロア１２（ｃ）としたりすることも勿論可能である。
【００１５】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報やアラームを表示する表示部１７と、操作者のＩＤカードを走査するカードリーダ１８（認識手段）と、操作者により操作される操作キーボード１９（認識手段）と、操作者に対して操作ガイダンス等の音声やアラーム音を出力する音声発生部２０とを有している。
【００１６】
現金管理装置本体１１には、全てのドロア１２のそれぞれに対して、ドロア１２を閉状態で個別にロックする図２に示すロック機構２２（切替手段）が設けられている。言い換えれば、ロック機構２２は、複数のドロア１２のそれぞれに設けられてドロア１２を現金管理装置本体１１に閉状態でロックする。現金管理装置本体１１には、図１に示す複数のドロア１２のそれぞれの側方となる前面板２４に、ロック機構２２のロック解除時のみ点灯する表示灯２３が設けられている。
【００１７】
現金管理装置本体１１には、図２に示すように、操作表示部１５、プリンタ１６、ロック機構２２および表示灯２３に接続されてこれらを制御する制御部２５（認識手段，切替手段）と、収納しているバラ紙幣、バラ硬貨、棒金および小束紙幣のそれぞれの数量情報および種類情報や処理関連のデータ等を記憶する記憶部２６とが設けられている。制御部２５は、複数のロック機構２２のロックを個別に解除可能となっており、記憶部２６を用いて複数のドロア１２の現金の収納量つまり在り高を個別に管理する。
【００１８】
ドロア１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納ドロア１２（ｂ）と棒金収納ドロア１２（ｃ）とでほぼ共通となっている。
【００１９】
図３に示すように、小束収納ドロア１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、単一金種の貨幣である紙幣を所定枚数（１００枚）集積し、規定位置に結束テープｔを巻回して、この結束テープｔを接着することで形成されるものである。
【００２０】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６を有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００２１】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と札押さえ板４６と一対の側壁部４３と底部４４とで、下方に凹む上方開口形状の束収納区画部４９（区画部）が形成されることになる。小束紙幣Ｔは、束収納区画部４９にその上部開口を介して上方から挿入されて収納される。
【００２２】
一つの小束収納ドロア１２（ｂ）に、複数の小束トレイ４０が前後に並べられていることから、一つの小束収納ドロア１２（ｂ）に、複数の束収納区画部４９が、引き出し方向に並べて設けられている。また、一つの小束収納ドロア１２（ｂ）に、複数の小束トレイ４０が左右に並べられていることから、一つの小束収納ドロア１２（ｂ）に、複数の束収納区画部４９が、引き出し方向に対し直交する方向に並べて設けられている。具体的には、一つの小束収納ドロア１２（ｂ）に、前後に５つ左右に２列の束収納区画部４９が設けられている。各束収納区画部４９は、後壁部４２と札押さえ板４６と一対の側壁部４３とで囲まれていることから、他の束収納区画部４９とは区画されている。
【００２３】
なお、各小束トレイ４０は、それぞれ予め設定された単一金種の小束紙幣Ｔのみが束収納区画部４９に収納されるように決められており、よって、小束収納ドロア１２（ｂ）には、小束紙幣Ｔの収納位置である束収納区画部４９が金種毎に規定されている。
【００２４】
具体的に、一つの小束収納ドロア１２（ｂ）において、前から１列目および２列目の４カ所の束収納区画部４９には千円券の小束紙幣Ｔが収納されることになり、前から３列目の２カ所の束収納区画部４９には、千円券より高額の五千円券の小束紙幣Ｔが収納されることになり、前から４列目および５列目の４カ所の束収納区画部４９には、五千円券より高額の一万円券の小束紙幣Ｔが収納されることになる。つまり、小束収納ドロア１２（ｂ）に引き出し方向に並んで設けられた複数の束収納区画部４９は、引き出し方向の奥側の束収納区画部４９よりも手前側の束収納区画部４９に額面の小さい貨幣を収納するように設定されている。
【００２５】
前から３列目の束収納区画部４９を構成する前から３列目の小束トレイ４０の前壁部４１Ａは、他の小束トレイ４０の前壁部４１よりも高さが高く設定されており、前から３列目の束収納区画部４９に収納された小束紙幣Ｔを前方で覆うようにこの小束紙幣Ｔの上端と上端の高さ位置を合わせている。なお、すべての小束トレイ４０の前壁部４１を小束紙幣Ｔを前方で覆うように高くしても良い。
【００２６】
各小束トレイ４０の束収納区画部４９を構成する一対の側壁部４３間の幅は、収納対象金種の小束紙幣Ｔの長さよりも若干広い幅となっている。また、各小束トレイ４０の束収納区画部４９を構成する底部４４の高さは、いずれの小束トレイ４０においても収納対象金種の小束紙幣Ｔを載置した場合にその上端部の小束収納ドロア１２（ｂ）での上端部の高さ位置が一定するように設定されている。各束収納区画部４９の底部４４までの深さは、収納した小束紙幣Ｔを取り出し容易とすべく上方に突出させるように設定されている。各束収納区画部４９には、それぞれの側壁部４３の上面に、収納対象の金種を目視可能に明示する金種明示部５０が設けられている。各小束トレイ４０に収納すべき設定金種を示す収納金種データは、予め設定されて記憶部２６に記憶されることになる。
【００２７】
図４に示すように、現金管理装置本体１１の各小束収納ドロア１２（ｂ）が挿入される小束収納庫挿入空間形成部６５の下部の前端部には、図３に示す小束収納ドロア１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６が位置固定で設けられている。なお、各センサ溝４８は、束収納区画部４９における小束紙幣Ｔの結束テープｔが所定の一側（左側）にあるときの、結束テープｔの位置に合わせて形成されており、よって、各小束セット検知センサ６６も、図５（Ａ）に示すように、束収納区画部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００２８】
また、図４に示すように、現金管理装置本体１１の各小束収納ドロア１２（ｂ）が挿入される小束収納庫挿入空間形成部６５の上部の前端部には、小束収納ドロア１２（ｂ）の左右２列の小束トレイ４０のそれぞれの上方近接位置に、図５（Ｂ）にも示すように、小束紙幣Ｔの左端位置を検出する左端検出ラインセンサ６７、小束紙幣Ｔの左側に結束テープｔつまり帯がある場合にこれを検出する左側帯検出ラインセンサ６８、小束紙幣Ｔの右側に結束テープｔがある場合にこれを検出する右側帯検出ラインセンサ６９および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００２９】
小束セット検知センサ６６は、１つの小束収納ドロア１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納ドロア１２（ｂ）に対し左右方向に並べられて２組設けられている。
【００３０】
小束セット検知センサ６６は、発光素子が検出方向を上方に向けており、上方に発光した光の上方からの反射光を対応する受光素子で受光するようになっている。その結果、各小束収納ドロア１２（ｂ）のそれぞれの直ぐ下に設けられた小束セット検知センサ６６が、これらの直ぐ上で前後にスライドする小束収納ドロア１２（ｂ）の各束収納区画部４９に収納された小束紙幣Ｔの下端部の反射光データである貨幣検出反射データをセンサ溝４８を介して取得することになる。
【００３１】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納ドロア１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納ドロア１２（ｂ）の各束収納区画部４９に収納された小束紙幣Ｔの上端部の反射光データである貨幣検出反射データを取得することになる。
【００３２】
なお、検出対象となる小束収納ドロア１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納ドロア１２（ｂ）の各束収納区画部４９の前後方向の全範囲を検出できるようになっている。小束セット検知センサ６６は、小束収納ドロア１２（ｂ）の開閉に伴って通過する、この小束収納ドロア１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納ドロア１２（ｂ）の開閉に伴って通過する、この小束収納ドロア１２（ｂ）内の小束紙幣Ｔの上端部から貨幣検出反射データを取得することになる。
【００３３】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００３４】
小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納区画部４９内外の空間）とを区別することになる。
【００３５】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００３６】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納区画部４９内外の空間）とを区別することで、紙幣部分の端部を検出した各受光素子の位置から小束紙幣Ｔの長さ方向の両端部の位置を検出する。
【００３７】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００３８】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータとを照合することで、小束収納ドロア１２（ｂ）内の小束紙幣Ｔの数量である数量検出データを取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００３９】
また、制御部２５は、上記検出範囲における、左端検出ラインセンサ６７および右端検出ラインセンサ７０の補正後の貨幣検出反射データと、記憶部２６に記憶された金種マスタデータとを照合することで、小束収納ドロア１２（ｂ）内の小束紙幣Ｔの金種である金種検出データを取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００４０】
図６に示す棒金収納ドロア１２（ｃ）は、単一金種の貨幣である硬貨が所定枚数（５０枚）集積されて包装紙で包装されてなる棒金Ｂを入出庫可能に収納するもので、上記した枠体３４内に固定される複数、具体的には、前後に６つ、左右に４列の合成樹脂製の棒金トレイ５５を有している。
【００４１】
棒金トレイ５５は、下方に凹む上方開口形状の棒金収納区画部５９を有しており、この棒金収納区画部５９に複数の棒金Ｂが中心軸線を上下にした立位状態で収納される。棒金トレイ５５の棒金収納区画部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。
【００４２】
一つの棒金収納ドロア１２（ｃ）に、複数の棒金トレイ５５が前後に並べられていることから、一つの棒金収納ドロア１２（ｃ）に、複数の棒金収納区画部５９が、引き出し方向に並べて設けられている。また、一つの棒金収納ドロア１２（ｃ）に、複数の棒金トレイ５５が左右に並べられていることから、一つの棒金収納ドロア１２（ｃ）に、複数の棒金収納区画部５９が、引き出し方向に対し直交する方向に並べて設けられている。具体的には、一つの棒金収納ドロア１２（ｃ）に、前後に６つ左右に４列の棒金収納区画部５９が設けられている。各棒金収納区画部５９は、他の棒金収納区画部５９とは区画されている。
【００４３】
棒金収納区画部５９には、棒金Ｂの収納位置に、棒金Ｂのセット検知用の図７に示す貫通孔６１が上下に貫通して形成されている。
【００４４】
なお、各棒金トレイ５５の棒金収納区画部５９は、それぞれ予め設定された単一金種の棒金Ｂのみが収納されるように決められている。言い換えれば、棒金収納ドロア１２（ｃ）には、金種毎に棒金Ｂの収納位置である棒金収納区画部５９が規定されている。各棒金トレイ５５に収納すべき設定金種を示す収納金種データは、予め設定されて記憶部２６に記憶されることになる。
【００４５】
図７に示すように、現金管理装置本体１１の各棒金収納ドロア１２（ｃ）が挿入される棒金収納庫挿入空間形成部７５の下部の前端部には、棒金収納ドロア１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の棒金セット検知センサ７６が位置固定で設けられている。
【００４６】
また、現金管理装置本体１１の各棒金収納ドロア１２（ｃ）が挿入される棒金収納庫挿入空間形成部７５の上部の前端部には、棒金収納ドロア１２（ｃ）の左右４列の棒金トレイ５５のそれぞれの３列の棒金収納位置の上方近接位置に、左右方向に同列で前後方向に並ぶ棒金Ｂの上端部を検出する、検出素子を左右方向に並べた光学反射型の棒金検出ラインセンサ７７が、それぞれ位置固定で設けられている。
【００４７】
つまり、棒金セット検知センサ７６は、図６（Ａ）にも示すように、１つの棒金収納ドロア１２（ｃ）に対し左右方向に並べられて１２カ所設けられ、棒金検出ラインセンサ７７は、図６（Ｂ）にも示すように、１つの棒金収納ドロア１２（ｃ）に対し左右方向に並べられて１２カ所設けられている。
【００４８】
棒金セット検知センサ７６は、発光素子が検出方向を上方に向けており、上方に発光した光の上方からの反射光を対応する受光素子で受光するようになっている。その結果、各棒金収納ドロア１２（ｃ）のそれぞれの直ぐ下に設けられた棒金セット検知センサ７６が、これらの直ぐ上で前後にスライドする棒金収納ドロア１２（ｃ）の各棒金収納区画部５９に収納された棒金Ｂの下端部の反射光データである貨幣検出反射データを貫通孔６１を介して取得することになる。
【００４９】
棒金検出ラインセンサ７７は、各発光素子が検出方向を下方に向けており、下方に発光した光の下方からの反射光を対応する受光素子で受光するようになっている。その結果、各棒金収納ドロア１２（ｃ）のそれぞれの直ぐ上に設けられた棒金検出ラインセンサ７７が、これらの直ぐ下で前後にスライドする棒金収納ドロア１２（ｃ）の各棒金収納区画部５９に収納された棒金Ｂの上端部の反射光データである貨幣検出反射データを取得することになる。
【００５０】
なお、検出対象となる棒金収納ドロア１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金セット検知センサ７６および棒金検出ラインセンサ７７は、検出対象となる棒金収納ドロア１２（ｃ）の各棒金収納区画部５９の前後方向の全範囲を検出できるようになっている。棒金セット検知センサ７６は、棒金収納ドロア１２（ｃ）の開閉に伴って通過する、この棒金収納ドロア１２（ｃ）内の棒金Ｂの下端部から貨幣検出反射データを取得することになり、棒金検出ラインセンサ７７は、棒金収納ドロア１２（ｃ）の開閉に伴って通過する、この棒金収納ドロア１２（ｃ）内の棒金Ｂの上端部から貨幣検出反射データを取得することになる。
【００５１】
ここで、制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００５２】
また、制御部２５は、棒金検出ラインセンサ７７の貨幣検出反射データから、反射光量が多い棒金Ｂと、反射光量が少なくなる他の部分（棒金収納区画部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００５３】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００５４】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータとを照合することで、棒金収納ドロア１２（ｃ）内の棒金Ｂの数量である数量検出データを取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００５５】
また、制御部２５は、上記検出範囲における、棒金検出ラインセンサ７７の補正後の貨幣検出反射データと、記憶部２６に記憶された金種マスタデータとを照合することで、棒金収納ドロア１２（ｃ）内の棒金Ｂの金種である金種検出データを取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００５６】
制御部２５は、一の小束収納ドロア１２（ｂ）内に収納された小束紙幣Ｔに関する数量検出データおよび金種検出データを総合して、この小束収納ドロア１２（ｂ）内の在り高（小束紙幣Ｔの各金種別の束数、合計金額等）を管理する。また、制御部２５は、一の棒金収納ドロア１２（ｃ）内に収納された棒金Ｂに関する数量検出データおよび金種検出データを総合して、この棒金収納ドロア１２（ｃ）内の在り高（棒金Ｂの各金種別の本数、合計金額等）を管理する。バラ貨幣収納ドロア１２（ａ）の在り高については、バラ貨幣収納ドロア１２（ａ）へのバラ紙幣、バラ硬貨の入出庫を含む入出庫取引の際に、操作キーボード１９を介して入力される、バラ紙幣の入庫数、バラ紙幣の出庫数、バラ硬貨の入庫数およびバラ硬貨の出庫数等に基づいて管理する。
【００５７】
現金管理装置本体１１には、全ての小束収納庫挿入空間形成部６５および全ての棒金収納庫挿入空間形成部７５のそれぞれの前端位置と後端位置とに、図８に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００５８】
そして、三つの歯付プーリ８３，８４，８６にはタイミングベルト９１が巻回されており、このタイミングベルト９１には、ドロア１２のうちの挿入されたものの後端部が固定されている。これにより、ドロア１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別のドロア１２の開閉位相データを取得することになる。制御部２５は、この開閉位相データからドロア１２の開閉方向およびその位置を割り出すことになり、移動量を時間で除算することでドロア１２の開閉速度を割り出すことになる。なお、検知ディスク８７と一体回転する歯付プーリ８６の前方にはタイミングベルト９１の弛みをとるテンションプーリ９２が設けられている。
【００５９】
また、現金管理装置本体１１には、全ての小束収納庫挿入空間形成部６５および全ての棒金収納庫挿入空間形成部７５のそれぞれの後端位置に、ドロア１２のうちの挿入されたものの後端部の検知片９５を検知することで、このドロア１２が現金管理装置本体１１に最も押し込まれた後端位置である全閉位置にあることを示す開閉位相データを取得する全閉検出センサ９６が位置固定で設けられている。現金管理装置本体１１には、小束収納庫挿入空間形成部６５および棒金収納庫挿入空間形成部７５のそれぞれの前端位置に、ドロア１２のうちの挿入されたものの後端部の検知片９５を検知することで、このドロア１２が現金管理装置本体１１から最も引き出された前端位置である全開位置にあることを示す開閉位相データを取得する全開検出センサ９７が位置固定で設けられている。つまり、全閉検出センサ９６および全開検出センサ９７は、ドロア１２の開閉位相情報を取得する。
【００６０】
加えて、現金管理装置本体１１には、全ての小束収納庫挿入空間形成部６５および全ての棒金収納庫挿入空間形成部７５のそれぞれの前部位置に、図９に示すように、ドロア１２のうちの挿入されたものの側板部３２の前部位置から突出する係合ピン１０１に係合することでこのドロア１２を全閉位置でロックするロック機構２２が設けられている。つまり、全てのドロア１２のそれぞれに対して、ドロア１２を閉状態で個別にロックするロック機構２２が設けられている。
【００６１】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して全閉位置にあるドロア１２を引き出し不可にロックする一方、ソレノイド１０２が電気的に駆動され、爪部１０５が上昇状態となると係合ピン１０１への係合を解除して全閉位置にあるドロア１２を引き出し可能とし開作動を許容する状態となる。また、ドロア１２の引き出し後にソレノイド１０２の駆動が解除されると、ロック部材１０４は、爪部１０５が下降状態となり、この状態で、ドロア１２が全閉位置に戻されると、係合ピン１０１が爪部１０５を押し上げた後に下降させることになり、爪部１０５が係合ピン１０１に係合してドロア１２を全閉位置で引き出し不可に自動的かつ機械的にロックする。
【００６２】
図１０に示すように、小束収納ドロア１２（ｂ）は、側板部３２の係合ピン１０１よりも後方位置つまり奥側位置に、係合ピン２０１（切替手段）を有している。係合ピン１０１と係合ピン２０１とは、高さ位置および左右位置を合わせて設けられている。
【００６３】
小束収納ドロア１２（ｂ）をロックするロック機構２２のロック部材１０４は、図１０に示すようにその前端の爪部１０５（図９参照）が、係合ピン１０１よりも前方で下降状態にあるとき係合ピン１０１に係合して、全閉位置にある小束収納ドロア１２（ｂ）を引き出し不可にロックする。
【００６４】
この状態からソレノイド１０２（図９参照）が電気的に駆動されて爪部１０５が上昇状態となると、ロック部材１０４は係合ピン１０１への係合を解除して全閉位置にある小束収納ドロア１２（ｂ）を引き出し可能とする。この状態で小束収納ドロア１２（ｂ）が引き出されると、ロック部材１０４の前端の爪部１０５が、係合ピン１０１よりも後方かつ係合ピン２０１よりも前方に位置する。この位置でソレノイド１０２の電気的駆動が解除されて爪部１０５が下降状態になると、ロック部材１０４は、小束収納ドロア１２（ｂ）のさらなる引き出しで、図１１に示すように爪部１０５にて係合ピン２０１に係合してこの小束収納ドロア１２（ｂ）を所定の中間規制位置で停止させ、この中間規制位置よりも前方への引き出しを不可とする。他方、ソレノイド１０２が電気的に駆動された状態が維持され、爪部１０５が上昇状態に維持されると、ロック部材１０４は係合ピン２０１に係合せず小束収納ドロア１２（ｂ）を全開状態まで引き出し可能とする。
【００６５】
また、小束収納ドロア１２（ｂ）をロックするロック機構２２のロック部材１０４は、その爪部１０５が係合ピン２０１よりも後方に位置した状態で、ソレノイド１０２の駆動が解除されて爪部１０５が下降状態となり、この状態で、この小束収納ドロア１２（ｂ）が中間規制位置まで戻されると、係合ピン２０１で爪部１０５が押し上げられた後に下降させられることになる。その後、この小束収納ドロア１２（ｂ）が全閉位置まで戻されると、このロック部材１０４は、係合ピン１０１で爪部１０５が押し上げられた後に下降させられることになる。これにより、爪部１０５が係合ピン１０１に係合してドロア１２を全閉位置で引き出し不可に自動的かつ機械的にロックする。
【００６６】
図１に示すように、現金管理装置本体１１の前面板２４の前面と、現金管理装置本体１１に収納状態にあるすべてのドロア１２の前板部３１の前面とは、前後方向の位置が合っており、図１０，図１１（後述の図１３，図１４も同様）に示す二点鎖線Ｘは、これらの前面の位置である主前面位置Ｘを示している。
【００６７】
ここで、小束収納ドロア１２（ｂ）が現金管理装置本体１１から引き出されて図１１に示す中間規制位置にあるとき、この小束収納ドロア１２（ｂ）の前から３列目の小束トレイ４０の前壁部４１Ａが、この小束収納ドロア１２（ｂ）の上側に隣り合うドロア１２を含む現金管理装置本体１１に収納状態にあるドロア１２の前板部３１の前面位置である主前面位置Ｘと前後方向の位置を合せることになる。これにより、この小束収納ドロア１２（ｂ）は、前から１列目および２列目の束収納区画部４９が開放されて、小束紙幣Ｔの出し入れが可能な状態となる一方、前から３列目、４列目および５列目の束収納区画部４９は開放されることがなく、上側に隣り合うドロア１２と前から３列目の束収納区画部４９を構成する図３に示す高さが高い前壁部４１Ａによって、小束紙幣Ｔの出し入れが不可能な状態となる。つまり、前から３列目の小束トレイ４０の前壁部４１Ａは、小束収納ドロア１２（ｂ）が現金管理装置本体１１から引き出されて図１１に示すように中間規制位置に位置するときに、前壁部４１Ａよりも奥側にある前から３列目、４列目および５列目の束収納区画部４９の小束紙幣Ｔの取り出しを規制する。
【００６８】
上記したように、前から１列目および２列目の束収納区画部４９には千円券の小束紙幣Ｔが、前から３列目の束収納区画部４９には五千円券の小束紙幣Ｔが、前から４列目および５列目の束収納区画部４９には一万円券の小束紙幣Ｔが、それぞれ収納されることになる。よって、小束収納ドロア１２（ｂ）が図１１に示すように中間規制位置にあるとき、千円券の小束紙幣Ｔの取り出しが可能となる一方、千円券の小束紙幣Ｔより高額の五千円券の小束紙幣Ｔおよび一万円券の小束紙幣Ｔの取り出しが不可となる。
【００６９】
また、小束収納ドロア１２（ｂ）が現金管理装置本体１１から最も引き出された全開位置にあるとき、この小束収納ドロア１２（ｂ）のすべての束収納区画部４９が開放されて小束紙幣Ｔの出し入れが可能な状態となる。
【００７０】
そして、制御部２５は、全閉検出センサ９６および全開検出センサ９７の検出結果に基づいてソレノイド１０２の駆動を制御することにより、小束収納ドロア１２（ｂ）の引き出し可能な範囲を、この小束収納ドロア１２（ｂ）に設けられたすべての束収納区画部４９を開放可能な全範囲と、この小束収納ドロア１２（ｂ）に設けられたすべての束収納区画部４９のうちの引き出し方向手前側の一部である前から１列目および２列目の束収納区画部４９のみを開放可能な一部範囲とに切り替える。その際に、制御部２５は、カードリーダ１８で読み取ったＩＤカードのカード識別データと操作キーボード１９に入力された操作者識別データとに基づいて認識される操作者のランクに応じて、小束収納ドロア１２（ｂ）の引き出し可能な範囲を全範囲と一部範囲とに切り替えることになる。小束収納ドロア１２（ｂ）の引き出し可能な範囲を全範囲とする操作者のランクは例えば管理者ランクであって、一部範囲とする操作者のランクである担当者ランクよりも高く設定されている。
【００７１】
小束収納ドロア１２（ｂ）の引き出し可能な範囲を上記の全範囲とした場合、制御部２５は、全閉位置にあるこの小束収納ドロア１２（ｂ）をロックするロック機構２２のソレノイド１０８を駆動する。そして、制御部２５は、この小束収納ドロア１２（ｂ）が全開位置まで引き出されたことを全開検出センサ９７が検出すると、この小束収納ドロア１２（ｂ）をロックするロック機構２２のソレノイド１０８の駆動を停止させる。このようにソレノイド１０８を制御することにより、この小束収納ドロア１２（ｂ）のすべての束収納区画部４９が開放可能となる。
【００７２】
小束収納ドロア１２（ｂ）の引き出し可能な範囲を上記の一部範囲とした場合、制御部２５は、全閉位置にあるこの小束収納ドロア１２（ｂ）をロックするロック機構２２のソレノイド１０８を駆動する。そして、制御部２５は、この小束収納ドロア１２（ｂ）が全閉位置になくなったことを全閉検出センサ９６が検出すると、この小束収納ドロア１２（ｂ）をロックするロック機構２２のソレノイド１０８の駆動を停止させる。これにより、この小束収納ドロア１２（ｂ）は、係合ピン２０１がロック機構２２のロック部材１０４の爪部１０５に係合して、それ以上の引き出しが規制される。その結果、この小束収納ドロア１２（ｂ）は、前から１列目および２列目の束収納区画部４９のみが開放可能となり、前から３列目、４列目および５列目の束収納区画部４９は開放不可となる。
【００７３】
現金管理装置本体１１には、すべての小束収納庫挿入空間形成部６５およびすべての棒金収納庫挿入空間形成部７５のそれぞれの後端位置に、一つのドロア１２が引き出された状態では他のすべてのドロア１２の引き出しを規制することで現金管理装置１０の転倒を防止する図１２に示す転倒防止機構１１０が設けられている。この転倒防止機構１１０は、現金管理装置本体１１に上下に移動可能に支持された昇降体１１１と、ドロア１２のそれぞれの後端部に設けられた作動ピン１１２とを有している。昇降体１１１は、各ドロア１２の位置に、前下がりで傾斜する溝部１１３が形成された規制部材１１４を有している。
【００７４】
転倒防止機構１１０は、一つのドロア１２が引き出されると、その作動ピン１１２が、図１２（Ａ）から図１２（Ｂ）に示すように、溝部１１３を移動することで溝部１１３の傾斜により昇降体１１１を上昇させる。この状態では、図１２（Ｂ）に示すように、他のドロア１２の作動ピン１１２の前方に、規制部材１１４が溝部１１３の後端を作動ピン１１２よりも上昇させた状態で配置されることになり、これにより、規制部材１１４が作動ピン１１２に当接してドロア１２の引き出しを規制する。
【００７５】
昇降体１１１は摩擦により下降が規制されるようになっており、図１２（Ｂ）から図１２（Ａ）に示すように、引き出されていたドロア１２が戻されると、その作動ピン１１２が溝部１１３を移動することで溝部１１３の傾斜により昇降体１１１を下降させる。この状態では、図１２（Ａ）に示すように、すべてドロア１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべてのドロア１２について択一的な引き出しを許容する状態となる。
【００７６】
以上の構成の本実施形態に係る現金管理装置１０は、操作者が、例えば、他の入出金機に現金を補充したり、顧客に現金を渡したり、顧客から預かった現金を収納したり、顧客から受け取った現金貨幣を同額の異金種の貨幣へ両替する際等に使用される。つまり、現金管理装置１０は、操作者が、バラ硬貨、バラ紙幣、棒金Ｂおよび小束紙幣Ｔのうちの少なくともいずれか一つを現金管理装置１０から取り出す出庫時、現金管理装置１０にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出庫取引時に使用される。
【００７７】
まず、一の入出庫取引の開始にあたって、操作者が、現金管理装置１０のカードリーダ１８にＩＤカードのカード識別データを読み取らせ操作キーボード１９に操作者識別データを入力する。すると、制御部２５が、入力されたこれらのカード識別データおよび操作者識別データと一致するデータが記憶部２６に予め記憶されたカード識別のマスタデータおよび操作者識別のマスタデータにあるか否かを判定し、いずれか一方でもマスタデータにない場合、表示部１７にその旨のアラームを表示させるとともに音声発生部２０にアラーム音を発生させる。
【００７８】
入力されたカード識別データおよび操作者識別データと一致するカード識別および操作者識別のマスタデータがある場合、制御部２５は、入力されたカード識別データおよび操作者識別データを有する操作者のランクデータを記憶部２６から読み出してこの操作者のランクを認識する。ランクデータには、例えば、低位の担当者ランクと高位の管理者ランクの二種類がある。
【００７９】
次に、制御部２５は、日時情報を含むこの一の入出庫取引の取引識別データを設定するとともに、この一の入出庫取引に必要な種類入力データ、区別データおよび数量入力データの入力を促す表示を、表示部１７に表示させる。ここで、種類入力データは、金種およびその状態（バラ、棒金、小束）を示すものであり、区別データは、種類入力データが入庫であるか出庫であるかを示すものであり、数量入力データは、種類入力データの数量を示すものである。一の入出庫取引で入力される種類入力データ、区別データおよび数量入力データの組は、一組および複数組の両方の場合がある。操作者が、操作キーボード１９に、これらの情報を入力すると、制御部２５は、入力データを確定する確定操作を促す表示を表示部１７に表示させる。
【００８０】
ここで、制御部２５は、ランクデータが低位の担当者ランクを示す場合には、バラ貨幣および棒金の入力をすべて可能とする一方、小束紙幣の入力については千円券の小束紙幣のみの入力を可能とし、五千円券の小束紙幣および一万円券の小束紙幣は入力不可とする。また、制御部２５は、ランクデータが高位の管理者ランクを示す場合には、五千円券の小束紙幣および一万円券の小束紙幣を含むすべての貨幣の入力を可能とする。
【００８１】
確定操作を促す表示を見た操作者によって確定操作が操作キーボード１９に入力されると、制御部２５は、この一の入出庫取引の上記した種類入力データ、区別データおよび数量入力データを表示部１７に表示させるとともに、先に設定したこの一の入出庫取引の取引識別データに関連付けて、この一の入出庫取引で入力された操作者識別データと、この一の入出庫取引にて入力された上記の種類入力データ、区別データおよび数量入力データとを記憶部２６に記憶する。
【００８２】
制御部２５は、この一の入出庫取引にて入力された種類入力データ、区別データおよび数量入力データに基づいて、バラ貨幣収納ドロア１２（ａ）、全ての小束収納ドロア１２（ｂ）および全ての棒金収納ドロア１２（ｃ）の中から、この一の入出庫取引にて現金が入出庫される対象ドロア１２を割り出す。そして、割り出した対象ドロア１２をロックするロック機構２２のロックを解除して、割り出した対象ドロア１２を現金管理装置本体１１から引き出し可能とする。
【００８３】
例えば、この一の入出庫取引にて入力された種類入力データに小束紙幣Ｔが含まれる場合、制御部２５は、含まれる金種の小束紙幣Ｔを収納している小束収納ドロア１２（ｂ）を対象ドロア１２とし、この小束収納ドロア１２（ｂ）をロックしているロック機構２２のロックを解除するとともにその表示灯２３を点灯させることになる。
【００８４】
その際に、操作者のランクデータに応じてこの小束収納ドロア１２（ｂ）の引き出し可能な範囲を、すべての束収納区画部４９を開放可能な全範囲と、すべての束収納区画部４９のうちの引き出し方向手前側の一部のみを開放可能な一部範囲とに切り替える。
【００８５】
制御部２５は、操作者のランクデータが高位の管理者ランクである場合、この小束収納ドロア１２（ｂ）の引き出し可能な範囲を上記の全範囲とし、この小束収納ドロア１２（ｂ）をロックするロック機構２２のソレノイド１０８を駆動する。
【００８６】
そして、制御部２５は、この小束収納ドロア１２（ｂ）が全開位置まで引き出されたことを全開検出センサ９７が検出するまで、ソレノイド１０８を駆動状態に維持する。これにより、この小束収納ドロア１２（ｂ）のすべての束収納区画部４９が開放可能となる。制御部２５が、この小束収納ドロア１２（ｂ）をロックするロック機構２２のソレノイド１０８を駆動すると、操作者により、この小束収納ドロア１２（ｂ）の現金管理装置本体１１からの引き出しが開始されることになる。制御部２５は、この小束収納ドロア１２（ｂ）用の全閉検出センサ９６、ロータリエンコーダ８８および全開検出センサ９７の開閉位相データからこの一の小束収納ドロア１２（ｂ）の引き出し開始および開閉位置を検出することになり、これらの開閉位相データからこの一の小束収納ドロア１２（ｂ）が後端位置から前端位置まで移動したか否かを判断する。
【００８７】
つまり、制御部２５は、全閉検出センサ９６、ロータリエンコーダ８８および全開検出センサ９７の開閉位相データに基づき、ロータリエンコーダ８８が検知ディスク８７の回転の検知を開始し且つ全閉検出センサ９６が検知片９５を検知しない状態となると、引き出しが開始されたことを検出することになる。その後、ロータリエンコーダ８８が検知ディスク８７の回転の検知を停止し且つ全開検出センサ９７が検知片９５を検知する状態となると、制御部２５は、この一の小束収納ドロア１２（ｂ）が後端位置から前端位置まで開庫された正常開動作を検出する。この一の小束収納ドロア１２（ｂ）が前端位置まで移動したことを検出すると、制御部２５は、この小束収納ドロア１２（ｂ）をロックするロック機構２２のソレノイド１０８の駆動を解除する。
【００８８】
なお、この一の小束収納ドロア１２（ｂ）が、後端位置にある全閉状態から引き出しが開始された後、前端位置に位置する全開状態とならずに後端位置に戻ったことを、全閉検出センサ９６、ロータリエンコーダ８８および全開検出センサ９７の開閉位相データに基づいて検出すると、制御部２５は、正常開動作と判断せず、表示部１７にアラームを表示させるとともに音声発生部２０でアラーム音を発生させるとともに、その表示灯２３を点灯させる。アラームを受けて、操作者は、この一の小束収納ドロア１２（ｂ）についての入出庫をやり直す。
【００８９】
ここで、この一の小束収納ドロア１２（ｂ）の現金管理装置本体１１からの引き出しが開始されたことを全閉検出センサ９６およびロータリエンコーダ８８の検知結果から検出すると、制御部２５は、この一の小束収納ドロア１２（ｂ）の引き出し直前の在り高を表示部１７に表示させる。操作者は、表示部１７に表示された在り高を必要により参照しつつこの一の小束収納ドロア１２（ｂ）に対する小束紙幣Ｔの入出庫を行う。この一の小束収納ドロア１２（ｂ）が現金管理装置本体１１から引き出された状態では、制御部２５は、全てのドロア１２のそれぞれの在り高のうち、この一の小束収納ドロア１２（ｂ）の在り高のみを表示部１７に表示させる。
【００９０】
前端位置に位置する全開状態になった後、ロータリエンコーダ８８が検知ディスク８７の回転の検知を開始し且つ全開検出センサ９７が検知片９５を検知しない状態となることで、この一の小束収納ドロア１２（ｂ）の閉方向の移動開始を検出すると、制御部２５は、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。ロータリエンコーダ８８が検知ディスク８７の回転の検知を停止し且つ全閉検出センサ９６が検知片９５を検知する状態となることで、この一の小束収納ドロア１２（ｂ）が後端位置に位置する全閉状態になったことが検出されると、制御部２５は、貨幣検出反射データの取り込みを終了させる。この一の小束収納ドロア１２（ｂ）が後端位置に閉庫されると、ロック機構２２がこの一の小束収納ドロア１２（ｂ）を機械的かつ自動的にロックする。
【００９１】
そして、この一の小束収納ドロア１２（ｂ）が前端位置から後端位置に閉庫されたことが検出されると、制御部２５は、この一の小束収納ドロア１２（ｂ）の表示灯２３を消灯し、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納ドロア１２（ｂ）の各束収納区画部４９に収納された小束紙幣Ｔの数量検出データおよび個々の小束紙幣Ｔの金種検出データを取得する。
【００９２】
数量検出データおよび金種検出データの取得後、制御部２５は、今回取得した金種別の数量検出データと、前回の入出庫取引時に記憶部２６に記憶されたこの一の小束収納ドロア１２（ｂ）の金種別の数量検出データとから、この一の小束収納ドロア１２（ｂ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引に対して入力された、種類入力データ、区別データおよび数量入力データを総合した金種別の数量入力データと照合し、差異が存在したか否かを判定する。つまり、この一の小束収納ドロア１２（ｂ）に関する入出庫の金種別の数量実取引データと、この一の小束収納ドロア１２（ｂ）に関する入出庫の金種別の数量入力データとが一致すれば、差異は存在しないと判定し、それ以外は、差異が発生したと判定する。このように、制御部２５は、対象ドロア１２であるこの一の小束収納ドロア１２（ｂ）が全開位置まで引き出された後に全閉位置まで押し込まれると、この一の小束収納ドロア１２（ｂ）に対して、現金が、操作キーボード１９に入力された種類入力データ、区別データおよび数量入力データにしたがって入出庫されたか否かを精査する。
【００９３】
この一の小束収納ドロア１２（ｂ）において、金種別の数量実取引データと金種別の数量入力データとに差異が存在すると、制御部２５は、表示部１７にアラームを表示させるとともに音声発生部２０でアラーム音を発生させて、再びこの一の小束収納ドロア１２（ｂ）をロックしているロック機構２２のロックを解除するとともに、その表示灯２３を点灯させる。これにより、この一の小束収納ドロア１２（ｂ）が引き出し可能となる。アラームを受けて、操作者は、この一の小束収納ドロア１２（ｂ）についての入出庫をやり直す。
【００９４】
なお、この一の入出庫取引にて入力された金種入力データに他の小束収納ドロア１２（ｂ）に収納されている小束紙幣Ｔの金種が含まれている場合、制御部２５は、上記した一の小束収納ドロア１２（ｂ）と同様の処理を他の小束収納ドロア１２（ｂ）に対しても行うことになる。
【００９５】
また、制御部２５は、操作者のランクデータが低位の担当者ランクである場合、小束収納ドロア１２（ｂ）の引き出し可能な範囲を上記の一部範囲とし、この小束収納ドロア１２（ｂ）をロックするロック機構２２のソレノイド１０８を駆動する。そして、制御部２５は、この小束収納ドロア１２（ｂ）が全閉位置になくなったことを全閉検出センサ９６が検出すると、この小束収納ドロア１２（ｂ）をロックするロック機構２２のソレノイド１０８の駆動を即座に停止させる。これにより、ロック機構２２のロック部材１０４の爪部１０５が、係合ピン２０１に当接して、この小束収納ドロア１２（ｂ）のそれ以上の引き出しを規制する状態となり、この小束収納ドロア１２（ｂ）のすべての束収納区画部４９のうちの前から１列目と２列目の束収納区画部４９のみが開放可能となる。小束収納ドロア１２（ｂ）の現金管理装置本体１１からの引き出しが開始されると、制御部２５は、この小束収納ドロア１２（ｂ）用の全閉検出センサ９６およびロータリエンコーダ８８の開閉位相データからこの一の小束収納ドロア１２（ｂ）の引き出し開始および開閉位置を検出することになり、これらの開閉位相データからこの一の小束収納ドロア１２（ｂ）が後端位置から中間規制位置まで移動したか否かを判断する。
【００９６】
つまり、制御部２５は、全閉検出センサ９６およびロータリエンコーダ８８の開閉位相データに基づき、ロータリエンコーダ８８が検知ディスク８７の回転の検知を開始し且つ全閉検出センサ９６が検知片９５を検知しない状態となると、引き出しが開始されたことを検出することになる。その後、ロータリエンコーダ８８が検知ディスク８７の回転に基づき、この一の小束収納ドロア１２（ｂ）が中間規制位置に位置したことが検出されると、制御部２５は、この一の小束収納ドロア１２（ｂ）が後端位置から中間規制位置まで開庫された正常開動作を検出する。
【００９７】
なお、この一の小束収納ドロア１２（ｂ）が、後端位置にある全閉状態から引き出しが開始された後、中間規制位置に位置する中間開状態とならずに後端位置に戻ったことを、全閉検出センサ９６およびロータリエンコーダ８８の開閉位相データに基づいて検出すると、制御部２５は、正常開動作と判断せず、表示部１７にアラームを表示させるとともに音声発生部２０でアラーム音を発生させ、再びこの一の小束収納ドロア１２（ｂ）をロックしているロック機構２２のロックを解除するとともに、その表示灯２３を点灯させる。これにより、この一の小束収納ドロア１２（ｂ）が引き出し可能となる。アラームを受けて、操作者は、この一の小束収納ドロア１２（ｂ）についての入出庫をやり直す。ここで、ロック機構２２のロック部材１０４の爪部１０５が係合ピン２０１に当接する際のこの一の小束収納ドロア１２（ｂ）の位置に相当するロータリエンコーダ８８の当接検出値を予め記憶しておき、ロータリエンコーダ８８の検出値が当接検出値に対して許容範囲を超えると、この一の小束収納ドロア１２（ｂ）が中間規制位置を通り過ぎたと判定して、制御部２５は、表示部１７にアラームを表示させるとともに音声発生部２０でアラーム音を発生させる。
【００９８】
ここで、この一の小束収納ドロア１２（ｂ）の現金管理装置本体１１からの引き出しが開始されたことを全閉検出センサ９６およびロータリエンコーダ８８の検知結果から検出すると、制御部２５は、この一の小束収納ドロア１２（ｂ）の引き出し直前の在り高を表示部１７に表示させる。操作者は、表示部１７に表示された在り高を必要により参照しつつこの一の小束収納ドロア１２（ｂ）に対する小束紙幣Ｔの入出庫を行う。この一の小束収納ドロア１２（ｂ）が現金管理装置本体１１から引き出された状態では、制御部２５は、全てのドロア１２のそれぞれの在り高のうち、この一の小束収納ドロア１２（ｂ）の在り高のみを表示部１７に表示させる。
【００９９】
中間規制位置に位置する中間開状態になった後、ロータリエンコーダ８８が検知ディスク８７の回転の検知を開始することで、この一の小束収納ドロア１２（ｂ）の閉方向の移動開始を検出すると、制御部２５は、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検出センサ９６が検知片９５を検知する状態となることで、この一の小束収納ドロア１２（ｂ）が後端位置に位置する全閉状態になったことが検出されると、貨幣検出反射データの取り込みを終了させる。この一の小束収納ドロア１２（ｂ）が後端位置に閉庫されると、ロック機構２２がこの一の小束収納ドロア１２（ｂ）を機械的かつ自動的にロックする。
【０１００】
そして、この一の小束収納ドロア１２（ｂ）が中間規制位置から後端位置に閉庫されたことが検出されると、制御部２５は、この一の小束収納ドロア１２（ｂ）の表示灯２３を消灯し、この一の小束収納ドロア１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組についての閉庫時の貨幣検出反射データから、上記のようにして、この一の小束収納ドロア１２（ｂ）の前から１列目および２列目の束収納区画部４９に収納された小束紙幣Ｔの数量検出データおよび個々の小束紙幣Ｔの金種検出データを取得する。
【０１０１】
数量検出データおよび金種検出データの取得後、制御部２５は、今回取得した金種別の数量検出データと、前回の入出庫取引時に記憶部２６に記憶されたこの一の小束収納ドロア１２（ｂ）の金種別の数量検出データとから、この一の小束収納ドロア１２（ｂ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引に対して入力された、種類入力データ、区別データおよび数量入力データを総合した金種別の数量入力データと照合し、差異が存在したか否かを判定する。つまり、この一の小束収納ドロア１２（ｂ）に関する入出庫の金種別の数量実取引データと、この一の小束収納ドロア１２（ｂ）に関する入出庫の金種別の数量入力データとが一致すれば、差異は存在しないと判定し、それ以外は、差異が発生したと判定する。このように、制御部２５は、対象ドロア１２であるこの一の小束収納ドロア１２（ｂ）が中間規制位置まで引き出された後に全閉位置まで押し込まれると、この一の小束収納ドロア１２（ｂ）に対して、現金が、操作キーボード１９に入力された種類入力データ、区別データおよび数量入力データにしたがって入出庫されたか否かを精査する。
【０１０２】
この一の小束収納ドロア１２（ｂ）において、金種別の数量実取引データと金種別の数量入力データとに差異が存在すると、制御部２５は、表示部１７にアラームを表示させるとともに音声発生部２０でアラーム音を発生させて、再びこの一の小束収納ドロア１２（ｂ）をロックしているロック機構２２のロックを解除するとともに、その表示灯２３を点灯させる。これにより、この一の小束収納ドロア１２（ｂ）が引き出し可能となる。アラームを受けて、操作者は、この一の小束収納ドロア１２（ｂ）についての入出庫をやり直す。
【０１０３】
なお、この一の入出庫取引にて入力された金種入力データに他の小束収納ドロア１２（ｂ）に収納されている小束紙幣Ｔの金種が含まれている場合、制御部２５は、上記した一の小束収納ドロア１２（ｂ）と同様の処理を他の小束収納ドロア１２（ｂ）に対しても行うことになる。
【０１０４】
また、制御部２５は、この一の入出庫取引にて入力された種類入力データに、一の棒金収納ドロア１２（ｃ）に収納されている棒金Ｂが含まれる場合、この一の棒金収納ドロア１２（ｃ）を対象ドロア１２として上記と同様の処理を行うことになり、その際に、この一の棒金収納ドロア１２（ｃ）が、前端位置に位置する全開状態になった後、この一の棒金収納ドロア１２（ｃ）の閉方向の移動開始を検出すると、制御部２５は、この一の棒金収納ドロア１２（ｃ）に対して設けられた全ての棒金セット検知センサ７６および全ての棒金検出ラインセンサ７７を駆動して、閉庫時の貨幣検出反射データの取り込みを開始させる。そして、この一の棒金収納ドロア１２（ｃ）が後端位置に閉庫されたことが検出されると、この一の棒金収納ドロア１２（ｃ）に対して設けられた全ての棒金セット検知センサ７６および全ての棒金検出ラインセンサ７７についての閉庫時の貨幣検出反射データから、上記のようにして、この一の棒金収納ドロア１２（ｃ）の各棒金収納区画部５９に収納された棒金Ｂの数量検出データおよび個々の棒金Ｂの金種検出データを取得して、この一の棒金収納ドロア１２（ｃ）に対して、現金が、操作キーボード１９に入力された種類入力データ、区別データおよび数量入力データにしたがって入出庫されたか否かを精査する。
【０１０５】
なお、この一の入出庫取引にて入力された金種入力データに他の棒金収納ドロア１２（ｃ）に収納されている棒金Ｂの金種が含まれている場合、制御部２５は、上記した一の棒金収納ドロア１２（ｃ）と同様の処理を他の棒金収納ドロア１２（ｃ）に対しても行うことになる。
【０１０６】
最後に、制御部２５は、バラ貨幣収納ドロア１２（ａ）、全ての小束収納ドロア１２（ｂ）および全ての棒金収納ドロア１２（ｃ）のうち、この一の入出庫取引にて入力された種類入力データに含まれる貨幣を収納しているもの全てについて、正常に入出庫取引が終了したと判断すると、今回の一の入出庫取引が終了したと判断する。
【０１０７】
以上に述べた本実施形態に係る現金管理装置１０によれば、制御部２５は、カードリーダ１８で読み取ったＩＤカードのカード識別データと操作キーボード１９に入力された操作者識別データとに基づいて認識した操作者のランクに応じて、小束収納ドロア１２（ｂ）の引き出し可能な範囲を、複数の束収納区画部４９をすべて開放可能な全範囲と、複数の束収納区画部４９のうちの引き出し方向手前側の一部のみを開放可能な一部範囲とに切り替える。よって、一つの小束収納ドロア１２（ｂ）内の奥側に、操作者のランクによってアクセスが制限される束収納区画部４９を設けることができる。このため、操作者のランクによってアクセスが制限されるドロアとアクセスが制限されないドロアとを別々に設ける場合と比べてドロアの数を減らすことができる。したがって、小型化および低コスト化が可能となる。ここで、少なくとも一段の小束収納ドロア１２（ｂ）が、引き出し可能な範囲を全範囲と一部範囲とに切り替えるようになっていれば良い。
【０１０８】
また、操作者のランクが全範囲を開放可能なランクよりも低いランクに対しては、手前側の束収納区画部４９よりも高額な貨幣を収納する奥側の束収納区画部４９を開放しないことになり、高額な貨幣へのアクセスを制限することができる。
【０１０９】
また、小束収納ドロア１２（ｂ）を全閉状態でロックするロック機構２２を使用し、小束収納ドロア１２（ｂ）に係合ピン２０１を追加するのみで、中間規制位置で小束収納ドロア１２（ｂ）を停止させることができるため、さらなる低コスト化が可能となる。
【０１１０】
なお、以上においては、小束収納ドロア１２（ｂ）の引き出し可能な範囲を一部範囲とした場合に開放可能となる束収納区画部４９を、前から１列目および２列目の束収納区画部４９のみとしたが、これに限定されることなく、前から１列目の束収納区画部４９のみとしたり、前から１列目、２列目および３列目の束収納区画部４９のみとしたり、前から１列目、２列目、３列目および４列目の束収納区画部４９のみとしたりすることが可能である。その場合、開放可能となる束収納区画部４９に、千円券の小束紙幣Ｔを収納したり、千円券の小束紙幣Ｔと五千円券の小束紙幣Ｔとを収納したりすることが可能である。
【０１１１】
また、以上においては、小束収納ドロア１２（ｂ）を例にとり説明したが、棒金収納ドロア１２（ｃ）についても、制御部２５が認識した操作者のランクに応じて、引き出し可能な範囲を、複数の棒金収納区画部５９をすべて開放可能な全範囲と、複数の棒金収納区画部５９のうちの引き出し方向手前側の一部のみを開放可能な一部範囲とに切り替えるようにしても良い。その場合も、複数の棒金収納区画部５９のうちの奥側の棒金収納区画部５９よりも手前側の棒金収納区画部５９に額面の小さい貨幣を収納するように設定されることになる。例えば、引き出し可能な範囲を一部範囲とした場合に開放可能となる棒金収納区画部５９に１円棒金、５円棒金、１０円棒金および１００円棒金を、開放不可な棒金収納区画部５９に５００円棒金を、それぞれ収納することが可能である。
【０１１２】
また、以上においては、引き出し可能な範囲を一部範囲とした場合に開放されない奥側の束収納区画部４９に、開放される手前側の束収納区画部４９よりも高額の貨幣を収納する場合を例にとり説明したが、引き出し可能な範囲を一部範囲とした場合に開放されない奥側の区画部のいずれかにキーや重要書類等を収納する収納ボックスを設けても良い。
【０１１３】
また、以上においては、操作者のランクを、高位および低位の二段階にする場合を例にとり説明したが、三段階以上の複数段階にするようにしても良い。その場合、係合ピン２０１を前後方向に並べてランクに応じた数だけ設けて、各ランク毎に、引き出し可能な範囲を一部範囲とした場合に開放可能となる束収納区画部４９の数を異ならせることが可能である。また、操作者のランクが最低位の場合には、ドロア１２の引き出しを規制するようにすることも可能である。
【０１１４】
また、以上においては、ソレノイド１０２と鉤形のロック部材１０４とを有するロック機構２２を用いる場合を例にとり説明したが、ドロア１２の引き出し可能な範囲を、全範囲と一カ所または複数カ所の一部範囲とに切り替えることができれば、種々の機構を用いることができる。
【０１１５】
例えば、ロック機構２２とは別に、現金管理装置本体１１に、図１３に示すソレノイド２１１を設けるとともに、小束収納ドロア１２（ｂ）にこのソレノイド２１１のピン２１２に当接可能なブロック２１３を設ける。そして、小束収納ドロア１２（ｂ）の引き出し可能な範囲を全範囲とする場合、ロック機構２２によるロック解除後、ソレノイド２１１のピン２１２を引っ込めた待機状態のままとしピン２１２のブロック２１３との当接を回避する。また、小束収納ドロア１２（ｂ）の引き出し可能な範囲を一部範囲とする場合、ロック機構２２によるロック解除以前に図１３に示すようにソレノイド２１１のピン２１２を突出させる。すると、図１４に示すように、このピン２１２がブロック２１３に当接することになり、これにより小束収納ドロア１２（ｂ）を中間規制位置で停止させることになる。このようにロック機構２２によるロック解除以前にソレノイド２１１のピン２１２を突出させることができるため、小束収納ドロア１２（ｂ）の引き出し速度が速くても、小束収納ドロア１２（ｂ）が中間規制位置を通り過ぎてしまうことがなくなる。この場合、ソレノイド２１１およびブロック２１３の組を複数組設ければ、小束収納ドロア１２（ｂ）の引き出しを複数の中間規制位置で規制することができる。
【０１１６】
ここで、ソレノイド２１１のピン２１２がブロック２１３に当たる際の小束収納ドロア１２（ｂ）の位置に相当するロータリエンコーダ８８の当接検出値を予め記憶しておき、小束収納ドロア１２（ｂ）の引き出し可能な範囲を一部範囲とする場合に、ロータリエンコーダ８８の検出値が当接検出値から許容範囲を超えると、ブロック２１３の破損等により小束収納ドロア１２（ｂ）が許容範囲以上に引き出されたことを検出して装置異常と判定することができる。
【０１１７】
また、例えば、小束収納ドロア１２（ｂ）にラックギアを設け、現金管理装置本体１１にラックギアに噛み合うピニオンギアとこのピニオンギアを停止させる機構を設けても良い。この場合、ロータリエンコーダ８８の検出結果に基づいてピニオンギアを停止させることで小束収納ドロア１２（ｂ）の引き出し可能な範囲を一部範囲とする一方、ピニオンギアを停止させることなく小束収納ドロア１２（ｂ）の引き出し可能な範囲を全範囲とする。この構造は、小束収納ドロア１２（ｂ）の引き出しを複数の中間規制位置で規制する場合に好適である。
【符号の説明】
【０１１８】
１０  現金管理装置
１１  現金管理装置本体
１２  ドロア
１８  カードリーダ（認識手段）
１９  操作キーボード（認識手段）
２２  ロック機構（切替手段）
２５  制御部（認識手段，切替手段）
４９  束収納区画部（区画部）
２０１  係合ピン（切替手段）
Ｔ  小束紙幣（貨幣）
【図１】
2016136330.tif 000003
【図２】
2016136330.tif 000004
【図３】
2016136330.tif 000005
【図４】
2016136330.tif 000006
【図５】
2016136330.tif 000007
【図６】
2016136330.tif 000008
【図７】
2016136330.tif 000009
【図８】
2016136330.tif 000010
【図９】
2016136330.tif 000011
【図１０】
2016136330.tif 000012
【図１１】
2016136330.tif 000013
【図１２】
2016136330.tif 000014
【図１３】
2016136330.tif 000015
【図１４】
2016136330.tif 000016